(57)【要約】【課題】ビル等の部屋構成を理解していない者でも、短時間で特定の個人の通行経路を確認することができる通行経路情報表示装置を提供する。【解決手段】建築物に設けられた複数の部屋の出入口を通過する個人をそれぞれ識別する複数の個人識別装置５と、各個人識別装置５が個人を識別した場合に、識別された個人と個人を識別した各個人識別装置５と各個人識別装置５が個人を識別した時間とを対応付けた管理情報を管理する管理手段７と、特定の個人を指定する個人指定手段８と、建築物の部屋構成を表示するグラフィック画面９と、個人指定手段８により特定の個人が指定された場合に、管理手段７から特定の個人の管理情報を抽出し、抽出した管理情報に基づいて、グラフィック画面９上の各個人識別装置５に対応する場所を、特定の個人を識別した時間順に線で繋いで、特定の個人の通行経路を表示する表示画像作成手段１０とを備えた。【選択図】図５
2009134381.tif 000002
【特許請求の範囲】
【請求項１】
建築物に設けられた複数の部屋の出入口を通過する個人をそれぞれ識別する複数の個人識別装置と、
各個人識別装置が個人を識別した場合に、識別された前記個人と前記個人を識別した前記各個人識別装置と前記各個人識別装置が前記個人を識別した時間とを対応付けた管理情報を管理する管理手段と、
特定の個人を指定する個人指定手段と、
前記建築物の部屋構成を表示するグラフィック画面と、
前記個人指定手段により特定の個人が指定された場合に、前記管理手段から前記特定の個人の管理情報を抽出し、抽出した管理情報に基づいて、前記グラフィック画面上の前記各個人識別装置に対応する場所を、前記特定の個人を識別した時間順に線で繋いで、前記特定の個人の通行経路を表示する表示画像作成手段と、
を備えたことを特徴とする通行経路情報表示装置。
【請求項２】
前記表示画像作成手段は、特定の時間帯を指定することにより、指定された時間帯内のみの前記特定の個人の通行経路を、前記グラフィック画面上に表示することを特徴とする請求項１記載の通行経路情報表示装置。
【請求項３】
前記複数の個人識別装置は、前記建築物の異なる階に設けられた部屋の出入口にそれぞれ設置され、
前記グラフィック画面は、前記異なる階の部屋構成を切り替えて表示するとともに、前記異なる階間の行き来を可能にする昇降手段を表示し、
前記表示画像作成手段は、前記異なる階に設置された個人識別装置の一方から他方へ前記特定の個人の通行経路を表示する場合は、前記グラフィック画面を前記個人識別装置の一方が設置された階の部屋構成から前記個人識別装置の他方が設置された階の部屋構成に切り替えて、前記グラフィック画面上の前記昇降手段に対応する場所と前記個人識別装置の他方に対応する場所を線で繋ぐことを特徴とする請求項１又は請求項２に記載の通行経路情報表示装置。
【請求項４】
前記複数の個人識別装置のうち少なくとも一つは、所定の部屋へ入室する個人を識別するとともに、前記所定の部屋から退室する個人を識別する入退室個人識別装置からなり、
前記表示画像作成手段は、前記入退室個人識別装置により前記所定の部屋へ入室していると識別されていない前記特定の個人が前記所定の部屋から退室すると識別された場合は、異常を知らせる表示を行うことを特徴とする請求項１〜請求項３のいずれかに記載の通行経路情報表示装置。
【発明の詳細な説明】
【技術分野】
【０００１】
この発明は、特定の個人の通行経路を表示する通行経路情報表示装置に関するものである。
【背景技術】
【０００２】
従来より、ビル等において、通行経路情報表示装置が使用されている。この通行経路情報表示装置は、特定の個人の通行情報及び警報情報等からなる通行経路を表示するものである。これにより、特定の個人の動向を把握することができる。ここで、通行情報及び警報情報は、特定の個人がどの部屋を何時に通過したか、又は不正操作したかを示すものである。そして、通行情報及び警報情報は、センター装置の画面に文字で表示される。かかる表示には、部屋に関する情報が含まれる。
【０００３】
また、別の技術分野では、同一直線上にほぼ位置する２台のスピーカにそれぞれ供給する第１及び第２の入力信号のレベルを調整する第１及び第２のレベル調整手段と、操作子の移動に応じて第１及び第２のレベル調整手段を相補に制御するレベル制御手段と、表示手段と、この表示手段に上記操作子の操作経路を表示させる表示制御手段とを、具備する音像の移動軌跡表示が提案されている。これにより、音像の移動の軌跡が表示される（例えば、特許文献１参照）。
【０００４】
【特許文献１】特開平７−１４３５９７号公報
【発明の開示】
【発明が解決しようとする課題】
【０００５】
しかし、従来の通行経路情報表示装置においては、部屋に関する情報は部屋番号や部屋名称のみであった。このため、文字表示された情報をもとに部屋構成を頭で思い浮かべる必要があり、特定の個人の通行経路をたどるのに時間がかかるという問題があった。また、全部屋構成を理解していない者にとっては、さらに経路をたどることが困難であるという問題があった。
【０００６】
一方、特許文献１記載のものは、上記問題を考慮するものではなかった。
【０００７】
この発明は、上述のような課題を解決するためになされたもので、その目的は、ビル等の部屋構成を理解していない者でも、短時間で特定の個人の通行経路を確認できる通行経路情報表示装置を提供することである。
【課題を解決するための手段】
【０００８】
この発明に係る通行経路情報表示装置は、建築物に設けられた複数の部屋の出入口を通過する個人をそれぞれ識別する複数の個人識別装置と、各個人識別装置が個人を識別した場合に、識別された前記個人と前記個人を識別した前記各個人識別装置と前記各個人識別装置が前記個人を識別した時間とを対応付けた管理情報を管理する管理手段と、特定の個人を指定する個人指定手段と、前記建築物の部屋構成を表示するグラフィック画面と、前記個人指定手段により特定の個人が指定された場合に、前記管理手段から前記特定の個人の管理情報を抽出し、抽出した管理情報に基づいて、前記グラフィック画面上の前記各個人識別装置に対応する場所を、前記特定の個人を識別した時間順に線で繋いで、前記特定の個人の通行経路を表示する表示画像作成手段とを備えたものである。
【発明の効果】
【０００９】
この発明によれば、ビル等の部屋構成を理解していない者でも、短時間で特定の個人の通行経路を確認することができる。
【発明を実施するための最良の形態】
【００１０】
この発明を実施するための最良の形態について添付の図面に従って説明する。なお、各図中、同一又は相当する部分には同一の符号を付しており、その重複説明は適宜に簡略化ないし省略する。
【００１１】
実施の形態１．
図１はこの発明の実施の形態１における通行経路情報表示装置を使用する建築物の部屋構成を示す図である。図２はこの発明の実施の形態１における通行経路情報表示装置のシステム構成図である。図３はこの発明の実施の形態１における通行経路情報表示装置で特定の個人の通行経路を表示する際に使用する特定個人用通行警報結合情報データの生成方法を説明するための図である。
【００１２】
図１において、１、２はそれぞれビル等の建築物の１階及び２階を模式的に示したものである。１階１は特に仕切られておらず、ロビー等の大部屋１ａが構成される。一方、２階２は仕切られ、一方向に並んだ複数の部屋２ａ〜２ｄが構成される。３ａは１階１の一側に設けられた扉Ａである。この扉Ａ３ａは、建築物の出入口を構成する。３ｂ〜３ｄはそれぞれ扉Ｂ〜Ｄである。これらの扉Ｂ〜Ｄ３ｂ〜３ｄは、それぞれ部屋２ａ、２ｂ間の出入口、部屋２ｂ、２ｃ間の出入口、部屋２ｃ、２ｄ間の出入口を構成する。４は昇降手段である。この昇降手段４は、建築物の一角部に設けられる。この昇降手段４により、建築物内の個人は、異なる階間の行き来が可能となる。本実施の形態では、昇降手段４は階段である。
【００１３】
図２において、５は複数の個人識別装置である。これらの個人識別装置５は、建築物に設けられた扉Ａ〜Ｄ３ａ〜３ｄ等からなる複数の部屋の出入口にそれぞれ設置され、各出入口を通過する個人をそれぞれ識別するものである。本実施の形態では、個人識別装置５は、各部屋１ａ等へ入室する個人を識別するとともに、各部屋１ａ等から退室する個人を識別する入退室個人識別装置からなる。
【００１４】
本実施の形態では、個人識別装置５はカードリーダである。これらのカードリーダは、各部屋１ａ等の出入口の入側及び出側双方に設置され、個人が所有するカードから各個人に割り当てられたＩＤ番号を読み取って個人を識別するものである。各個人は、各部屋１ａの出入口入側に設置されたカードリーダでカード操作を行って、各部屋１ａ等に入室する。かかる操作を入室操作という。また、各個人は、各部屋１ａ等の出入口出側に設置されたカードリーダでカード操作を行って、各部屋１ａ等から退室する。かかる操作を退室操作という。この際、カードリーダでの入室操作、退室操作とともに生態認証が行われる場合もある。
【００１５】
６は複数のローカルコントローラである。これらのローカルコントローラ６は、各個人識別装置５が読み取ったＩＤ番号や生態認証用データをそれぞれ解析し、カード操作や生態認証が正常か否かを判定するものである。そして、ローカルコントローラ６は、個人識別装置５が設置された操作場所、操作内容、操作時間、操作が正常であるか否かを示す情報の種類をセンター装置に送る。センター装置は、送られた情報を一括管理する。
【００１６】
センター装置は、管理手段７、個人指定手段８、グラフィック画面９、表示画像作成手段１０からなる。管理手段７は、各個人識別装置５が個人を識別した場合に、識別された個人と個人を識別した各個人識別装置５と各個人識別装置５が個人を識別した時間とを対応付けた管理情報を管理するものである。本実施の形態では、管理手段７は、ローカルコントローラ６により操作等が正常と判定された場合は、通行情報データ７ａとして管理し、異常と判定された場合は、警報情報データ７ｂとして管理する。
【００１７】
個人指定手段８は、建築物内の通行経路を把握したい特定の個人を指定するものである。本実施の形態では、例えば、キーボード（図示せず）等より特定の人物のＩＤ番号を入力することにより、特定の個人が指定される。グラフィック画面９は、建築物の部屋構成を模式的に表示するものである。このグラフィック画面９は、画面を切り替えることにより、異なる階の部屋構成を表示とともに、昇降手段４を表示する。従って、グラフィック画面９に１階１が表示される場合は、大部屋１ａ、扉Ａ３ａ、昇降手段４が模式的に示される。一方、グラフィック画面９に２階２が表示される場合は、部屋２ａ〜２ｄ、扉Ｂ〜Ｄ３ｂ〜３ｄ、昇降手段４が模式的に示される。
【００１８】
表示画像作成手段１０は、個人指定手段８により特定の個人が指定された場合に、管理手段７から特定の個人の管理情報を抽出し、抽出した管理情報に基づいて、グラフィック画面９上の各個人識別装置５に対応する場所を、特定の個人を識別した時間順に線で繋いで、特定の個人の通行経路を表示するものである。この表示画像作成手段１０は、特定の時間帯を指定することにより、指定された時間帯内のみの特定の個人の通路経路をグラフィック画面９上に表示する。これにより、特定の個人の通行経路の表示範囲が絞られる。
【００１９】
また、表示画像作成手段１０は、異なる階に設置された個人識別装置５の一方から他方へ特定の個人の通行経路を表示する場合は、グラフィック画面９を個人識別装置５の一方が設置された階の部屋構成から個人識別装置５の他方が設置された階の部屋構成に切り替えて、グラフィック画面９上の昇降手段４に対応する場所と個人識別装置５の他方に対応する場所を線で繋ぐ。さらに、表示画像作成手段１０は、個人識別装置５により所定の部屋１ａ等へ入室していると識別されていない特定の個人が所定の部屋１ａ等から退室すると認識された場合は、異常を知らせる表示を行う。
【００２０】
本実施の形態では、表示画像作成手段１０は、特定の時間帯が指定されると、当該時間の中で一番早くカード操作等がなされた個人識別装置５に対応する場所からグラフィック画面９上での表示を開始する。そして、特定の個人を識別した個人識別装置５に対応する場所を線で繋ぎ、時間順にゆっくり表示させる。このとき、各個人識別装置５の操作時間、操作内容、情報の種類も表示される。
【００２１】
次に、図３を用いて、特定の個人の通行経路を表示する際に使用する管理情報の生成方法を説明する。通行情報データ７ａ及び警報情報データ７ｂは、一旦、管理手段７により別管理される。そして、通行情報データ７ａ及び警報情報データ７ｂが結合されることにより、通行警報結合情報データ１１が生成される。この通行警報結合情報データ１１は、様々な個人の通行情報データ７ａ及び警報情報データ７ｂを時間順に一括管理されたものである。その後、個人指定手段８により特定の個人が指定されると、通行警報結合情報データ１１の中から当該個人に対応付けられたものを検索する。そして、検索結果のみを抽出して、特定個人用通行警報結合情報データ１２を生成する。この特定個人用通行警報結合情報データ１２が管理情報である。この特定個人用通行警報結合情報データ１２は、各個人識別装置５の操作時間、操作場所、操作内容、情報の種類が含まれ、操作時間順に格納される。
【００２２】
次に、図４〜図７を用いて、特定の個人の通行経路を表示する方法を説明する。
図４は特定個人用通行警報結合情報データの第１の具体例を説明するための図である。図４においては、８個の特定個人用通行警報結合情報データ１２が操作１データ〜操作８データとして管理されている。
【００２３】
操作１データは、ビル１階１扉Ａ３ａで２００７年９月１９日１３時１０分に入室操作が行われた場合のデータである。操作２データは、ビル２階２扉Ｂ３ｂで２００７年９月１９日１３時１０分に入室操作が行われた場合のデータである。操作３データは、ビル２階２扉Ｃ３ｃで２００７年９月１９日１３時２３分に入室操作が行われた場合のデータである。操作４データは、ビル２階２扉Ｄ３ｄで２００７年９月１９日１３時３５分に入室操作が行われた場合のデータである。
【００２４】
操作５データは、ビル２階２扉Ｄ３ｄで２００７年９月１９日１５時１１分に退室操作が行われた場合のデータである。操作６データは、ビル２階２扉Ｃ３ｃで２００７年９月１９日１５時４３分に退室操作が行われた場合のデータである。操作７データは、ビル２階２扉Ｂ３ｂで２００７年９月１９日１５時５５分に退室操作が行われた場合のデータである。操作８データは、ビル２階２扉Ａ３ａで２００７年９月１９日１６時００分に退室操作が行われた場合のデータである。そして、操作１データ〜操作８データの情報の種類は、全て通行情報である。
【００２５】
図５は特定の個人の通行経路を表示する方法の第１の具体例を説明するための図である。この表示方法は、図４における特定個人用通行警報結合情報データ１２の第１の具体例に対応している。そして、かかる表示は、各個人識別装置５の操作時間、操作内容が文字表示されるとともに、特定の個人の通行経路がグラフィック表示される。
【００２６】
１３は操作１データに対応する表示である。このとき、グラフィック画面９には、ビル１階１の部屋構成、扉Ａ３ａ、昇降手段４が模式的に示される。そして、扉Ａ３ａの近傍で建築物外から建築物内に向かう矢印が表示される。これにより、特定の個人が、建築物内に入ることが模式的に示される。１４は操作１データ〜操作２データに対応する表示である。このとき、グラフィック画面９は変更表示する。即ち、グラフィック画面９には、ビル２階２の部屋構成、扉Ｂ〜Ｄ３ｂ〜３ｄ、昇降手段４が模式的に示される。そして、扉Ｂ３ｂに向う矢印が表示される。この矢印の始点は、昇降手段４に配置される。これにより、特定の個人は、昇降手段４で１階１から２階２に上がり、部屋２ａを通過して部屋２ｂに入室することが模式的に示される。
【００２７】
１５は操作１データ〜操作３データに対応する表示である。このとき、グラフィック画面９には、表示１４の矢印終点が扉Ｃ３ｃ近傍まで延びるように表示される。これにより、特定の個人が、部屋２ｃに入室することが模式的に示される。１６は操作１データ〜操作４データに対応する表示である。このとき、グラフィック画面９には、表示１５の矢印終点が扉Ｄ３ｄ近傍まで延びるように表示される。これにより、特定の個人が、部屋２ｄに入室することが模式的に示される。
【００２８】
１７は操作１データ〜操作５データに対応する表示である。このとき、グラフィック画面９には、表示１６の矢印終点が扉Ｄを通過して折り返して扉Ｄ近傍に到達するように表示される。これにより、特定の個人が、部屋２ｄを退室することが模式的に示される。１８は、操作１データ〜操作６データに対応する表示である。このとき、グラフィック画面９には、表示１７の矢印終点が扉Ｃ３ｃ近傍まで延びるように表示される。これにより、特定の個人が、部屋２ｃを退室することが模式的に示される。
【００２９】
１９は操作１データ〜操作７データに対応する表示である。このとき、グラフィック画面９には、表示１８の矢印終点が扉Ｂ３ｂ近傍まで延びるように表示される。これにより、特定の個人が、部屋２ｂを退室することが模式的に示される。２０は操作１データ〜操作８データに対応する表示である。このとき、グラフィック画面９は変更表示する。即ち、グラフィック画面９には、ビル１階１の部屋構成、扉Ａ３ａ、昇降手段４が模式的に示される。そして、扉Ａ３ａに向かう矢印が表示される。この矢印の始点は、昇降手段４である。これにより、特定の個人が、階段で２階２から１階１に下り、扉Ａ３ａを通過して建築物外へ出ることが模式的に示される。
【００３０】
図６は特定個人用通行警報結合情報データの第２の具体例を説明するための図である。
図６においては、４個の特定個人用通行警報結合情報データ１２が操作１データ〜操作４データとして管理されている。
【００３１】
操作１データは、ビル１階１扉Ｃ３ｃで２００７年９月１９日１３時２３に入室操作が行われた場合のデータであり、情報の種類は通行情報である。操作２データは、ビル２階２扉Ｄ３ｄで２００７年９月１９日１５時１１分にＡＰ不正出操作が行われた場合のデータである。ここで、ＡＰ不正出とは、経路順路通りに操作しなかった場合の警報である。例えば、特定の個人が通行経路を無視し、他人操作と同時に共連れ等により入室操作をせずに退室操作を行った場合等に発生する警報である。従って、情報の種類は、警報情報となる。
【００３２】
操作３データは、ビル２階２扉Ｄ３ｄで２００７年９月１９日１５時１２分に復旧入室操作が行われた場合のデータである。ここで、復旧入室操作とは、ＡＰ不正出警報を復旧させ、操作した個人を通行させるための操作である。これにより、ＡＰ不正出操作による警報が解除され、正規の入室操作が行われたことになる。従って、情報の種類は、通行情報である。操作４データは、ビル２階２扉Ｄ３ｄで２００７年９月１９日１５時１３分に退室操作が行われた場合のデータであり、情報の種類は通行情報である。
【００３３】
図７は特定の個人の通行経路を表示する方法の第２の具体例を説明するための図である。この表示方法は、図６における特定個人用通行警報結合情報データ１２の第２の具体例に対応している。２１は操作１データに対応する表示である。このとき、グラフィック画面９には、ビル２階２の部屋構成、扉Ｂ〜Ｄ３ｂ〜３ｄ、昇降手段４が模式的に示される。そして、操作１データ以前にＡＰ不正出操作がなければ、扉Ｂ３ｂに向かう矢印が表示される。この矢印の始点は昇降手段４である。これにより、特定の個人が、昇降手段４で１階１から２階２に上がり、部屋２ａを通過して部屋２ｃに入室することが模式的に示される。２２は操作１データ〜操作２データに対応する表示である。このとき、グラフィック画面９には、表示２１の矢印終点の矢の部分が消滅するとともに、部屋２ｄ内から扉Ｄ３ｄに向かう別の矢印が表示される。これにより、特定の個人が、部屋２ｄでＡＰ不正出操作を行ったことが模式的に示され、異常を知らせる表示が行われる。
【００３４】
２３は操作１データ〜操作３データに対応する表示である。このとき、グラフィック画面９には、表示２２の矢印終点の矢の部分が消滅した線と繋がるように、扉Ｃ３ｃから扉Ｄ３ｄに向かう別の矢印が表示される。かかる別の矢印は、通常の通行経路と異なる色で点滅（フリッカ）表示となる。これにより、復旧入室操作が行われたことが模式的に示される。２４は操作１データ〜操作４データに対応する表示である。このとき、グラフィック画面９には、表示２３の別の矢印終点の矢の部分が消滅するとともに、扉Ｄ３ｄを始点として部屋内２ｄで折り返して再び扉Ｄ３ｄに向かう矢印が表示される。これにより、特定の個人のＡＰ不正出操作が解除され、正規に部屋２ｄを退室したことが模式的に示される。
【００３５】
以上で説明した実施の形態１によれば、特定の個人の通行経路がグラフィック画面９上に表示される。このため、ビル等の部屋構成を理解していない者でも、一目で特定の個人の通行経路を確認できる。また、短時間で特定の個人のビル内での動向を把握できる。さらに、表示画像作成手段１０は、異なる階に設置された個人識別装置５の一方から他方へ特定の個人の通行経路を表示する場合は、グラフィック画面９を個人識別装置５の一方が設置された階の部屋構成から個人識別装置５の他方が設置された階の部屋構成に切り替えられる。このため、特定の個人の平面的な通行経路だけでなく、異なる階間の通行経路の把握も容易となる。さらに、特定の個人の通行経路の表示範囲を絞ることができ、特定の個人の不正操作による警報として異常を知らせる表示が行われる。したがって、警報発生時間帯前後の通行経路を確認することにより、短時間で不正操作の原因究明ができる。
【００３６】
なお、昇降手段４は、異なる階の行き来が可能であれば、乗客コンベアやエレベータであっても構わない。また、各個人識別装置５での操作が正常であるか否かによって○×等の図形表示を付加することで、操作内容に関する理解度を向上させてもよい。また、不正操作の判定を不要とする簡易な通行経路情報表示装置においては、建築物の部屋の出入口の入側のみや出側のみに個人識別装置５を設置して、特定の個人の通行経路を表示してもよい。
【図面の簡単な説明】
【００３７】
【図１】この発明の実施の形態１における通行経路情報表示装置を使用する建築物の部屋構成を示す図である。
【図２】はこの発明の実施の形態１における通行経路情報表示装置のシステム構成図である。
【図３】この発明の実施の形態１における通行経路情報表示装置で特定の個人の通行経路を表示する際に使用する特定個人用通行警報結合情報データの生成方法を説明するための図である。
【図４】特定個人用通行警報結合情報データの第１の具体例を説明するための図である。
【図５】特定の個人の通行経路を表示する方法の第１の具体例を説明するための図である。
【図６】特定個人用通行警報結合情報データの第２の具体例を説明するための図である。
【図７】特定の個人の通行経路を表示する方法の第２の具体例を説明するための図である。
【符号の説明】
【００３８】
１  １階
１ａ  大部屋
２  ２階
２ａ〜２ｄ  部屋
３ａ〜３ｄ  扉Ａ〜扉Ｄ（出入口）
４  昇降手段
５  個人識別装置
６  ローカルコントローラ
７  管理手段
７ａ  通行情報データ
７ｂ  警報情報データ
８  個人指定手段
９  グラフィック画面
１０  表示画像作成手段
１１  通行警報結合情報データ
１２  特定個人用通行警報結合情報データ
１３〜２４  表示
【図１】
2009134381.tif 000003
【図２】
2009134381.tif 000004
【図３】
2009134381.tif 000005
【図４】
2009134381.tif 000006
【図５】
2009134381.tif 000007
【図６】
2009134381.tif 000008
【図７】
2009134381.tif 000009